(57)【特許請求の範囲】
【請求項１】
箱状の商品を積み上げて収納する収納コラムと、この収納コラムの下に設けられ、収納される商品の中央部及び後部を載置する載置台と、その最下位の商品を前方に押し出して搬出する商品搬出装置と、この収納コラムの下部に設けられ、収納される商品の残数が所定数以下となった場合に、その最上位の商品を上方より押圧すると共に収納コラムの背面側に引き付け、収納される商品を載置台との間に挟む押圧装置とを備えたことを特徴とする自動販売機。
【請求項２】
押圧装置は、収納コラムの背面に一端が枢支され、収納コラム内の商品残数の減少に従って、他端が収納コラムの内側に回動して商品を押圧するレバー状に構成されることを特徴とする請求項１記載の自動販売機。
【発明の詳細な説明】
【０００１】
【発明の属する技術分野】
本発明は、収納コラムに積み上げ収納された箱状の商品の最下位商品を商品搬出装置にて前方に押し出して販売する自動販売機に関する。
【０００２】
【従来の技術】
従来この種自動販売機として、特開平７−６５２２６号公報（Ｇ０７Ｆ１１／１６）には、商品収納コラムに積み上げ収納された箱状商品の最下位商品を商品搬出装置にて前方に押し出して販売するようにしたものがある。
【０００３】
【発明が解決しようとする課題】
図１１乃至図１４は従来の自動販売機を示し、１００は自動販売機本体、１０１は商品収納コラム、１０２は商品収納コラムの下部に設けられた売り切れ検知装置、１０３は商品搬出装置である。
【０００４】
従来、商品収納コラム１０１の商品１０４は最後まで販売させるわけではなく、２〜３個商品１０４を残した状態で売り切れとしている。
【０００５】
この理由は、図１２の状態、即ち２個の商品１０４が残っていて、更に販売を継続する場合、次の販売に関しては図１３に示す如く商品１０４を適正に販売できるが、その後、図１４に示す如く、商品搬出装置１０３の押出し部材１０５の上に最後の商品１０４が載ってしまい、姿勢が崩れて落下してしまうか、落下しなくとも、姿勢が崩れたままで、商品搬出装置１０３による商品搬出ができない場合が考えられるためである。
【０００６】
本発明は上述した問題点に鑑みてなされたもので、商品の販売を適正に行うと共に、最後の商品まで販売することを目的とした自動販売機を提供する。
【０００７】
【課題を解決するための手段】
上記目的を達成するための手段として、本発明の請求項１では、箱状の商品を積み上げて収納する収納コラムと、この収納コラムの下に設けられ、収納される商品の中央部及び後部を載置する載置台と、その最下位の商品を前方に押し出して搬出する商品搬出装置と、この収納コラムの下部に設けられ、収納される商品の残数が所定数以下となった場合に、その最上位の商品を上方より押圧すると共に収納コラムの背面側に引き付け、収納される商品を載置台との間に挟む押圧装置とを備えた自動販売機を提供する。
【０００８】
この様に、収納コラム内の商品の残数が所定数以下となった場合、商品の上方から押圧装置によって押圧する事で、商品の姿勢が崩れてしまう事を極力防止できる。
【０００９】
また、請求項２の発明では、押圧装置は、収納コラムの背面に一端が枢支され、収納コラム内の商品残数の減少に従って、他端が収納コラムの内側に回動して商品を押圧するレバー状に構成される請求項１記載の自動販売機を提供する。
【００１０】
この様に、レバー状に構成される押圧装置が回動する事により、商品を上方から押えることができる。
【００１１】
【発明の実施の形態】
以下、本発明の実施の形態を図面に基づいて説明する。
【００１２】
図１は本発明を具備する自動販売機の正面図、図２は本発明を具備する自動販売機の側面図、図３は本発明を具備する自動販売機の縦側断面図、図４は販売待機状態における収納コラムの要部拡大図、図５は残り商品が３個の状態における収納コラムの要部拡大図、図６は残り商品が２個の状態における収納コラムの要部拡大図、図７は２個の残り商品の内の１個を販売する状態を示す収納コラムの要部拡大図、図８は残り商品が１個の状態を示す収納コラムの要部拡大図、図９は最後の商品を販売する状態を示す収納コラムの要部拡大図、図１０は完全に売り切れた状態を示す収納コラムの要部拡大図である。
【００１３】
図１乃至図３に示す１は自動販売機本体で、内部に商品収納コラム２を設けた前面開口の内箱３と、この内箱３の前面開口を閉塞する内扉４と、これら内箱３、内扉４を内部に設けた外装箱体５と、この外装箱体５の前面開口を開閉可能に閉塞する展示扉６とを備えているものである。
【００１４】
前記展示扉６の上部には、販売商品７のサンプルを展示する展示部８が設けられ、販売商品７のサンプルの下方には、商品を選択するための、商品選択ボタン９が設けられている。
【００１５】
また、この展示部８の下には、ビルバリの紙幣投入口１０、コインメカの硬貨投入口１１、返却レバー１２、投入金額表示器１３などが設けられている。尚、１４は販売商品７を補充する際に展示扉６を開けるための扉開閉レバーであり、この扉開閉レバー１４には鍵が設けられている。
【００１６】
更に、展示扉６の下部には、販売商品７を取り出す商品取出口１５が設けられ、その側方には、釣り銭や返却金を払い出す返却口１６が設けられている。
【００１７】
尚、１７は自動販売機１を支持するための台脚、１８は前記展示扉６のヒンジである。
【００１８】
また、前記内扉４の下部には、販売商品７搬出時にのみ開くデリバリドア１９が設けられており、この内扉４のデリバリドア１９からの商品を受けると共に、前記展示扉６の商品取出口１５から商品を受け取りため、展示扉６と内扉４との間には商品受け２０が設けられている。
【００１９】
更に、前記内箱３内の前記商品収納コラム２の下方には、販売商品７を前記デリバリドア１９方向に導く商品シュート２１が設けられている。
【００２０】
前記商品収納コラム２は前面開口した箱状に形成されており、この前面開口に上下方向に延在する商品押さえ２２が設けられている。そして、この商品押さえ２２を商品収納コラム２の前に位置させる事で販売商品７の脱落を防止し、商品収納コラム２の前から開放する事で、販売商品７の補充を行うものである。
【００２１】
以下に本発明の要部について、図４乃至図１０を参照して説明する。
【００２２】
前記商品収納コラム２の背面下部には、収納されている販売商品７の内、最下位の販売商品７の有無を検知する商品検知装置２３が設けられている。
【００２３】
この商品検知装置２３には、最下位の販売商品７に当接する商品検知スイッチ２４が設けられており、販売商品７に当接する事で、販売商品７がある状態、即ち、販売可の状態を検知し、販売商品７への当接が解除される事で、販売商品７がない状態、即ち、売り切れ状態を検知するものである。
【００２４】
更に、この商品検知装置２３の下方には、商品収納コラム２内の最下位に位置する販売商品７を搬出する商品搬出装置２５が設けられている。
【００２５】
また、前記商品収納コラム２の下には、最下位の販売商品７を載置する載置台２６が設けられており、販売商品７の中央部及び後部がこの載置台２６に載置され、それ以外の前部が前記商品シュート２１の上方に位置する事となる。
【００２６】
更に、前記商品搬出装置２５は、最下位の販売商品７を前方に押し出すプッシャー２７と、このプッシャー２７を前後方向に移動させる駆動装置２８とよりなるものである。尚、このプッシャー２７は前記載置台２６より前方まで移動可能となっており、このプッシャー２７の前方移動により、最下位の販売商品７を搬出するものである。
【００２７】
また、前記商品検知装置２３の上方、即ち商品収納コラム２の背面下部には、商品収納コラム２内の販売商品７の残数が所定数以下となった場合に、販売商品７を上方より押圧する押圧装置２９が設けられている。
【００２８】
この押圧装置２９は、図示しないバネなどの付勢部材によって、常に販売商品７側に付勢されるもので、商品残数の減少に従って商品収納コラム２の内側に回動する。
【００２９】
以上の構成にして動作を説明する。
【００３０】
図４は残り販売商品７が６個ある状態を示し、この状態では、５個目の販売商品７の後面に前記押圧装置２９が当接して、上方を向いている。
【００３１】
ここで、顧客が所定の金額を投入し、商品選択ボタンを押すと、前記商品搬出装置２５のプッシャー２７が前方移動し、最下位の販売商品７を前方に押し出し、デリバリドア１９を開く。そして、販売商品７は商品シュート２１の上を滑り落ち、前記商品受け２０に落下する。
【００３２】
販売商品７が商品受け２０に入ると、顧客が商品取出口１５からこの販売商品７を取り出し、販売終了となる。尚、釣り銭がある場合、商品取出口１５の横に設けられている返却口１６から釣り銭を取り出す。
【００３３】
販売商品７が順次販売されると、前記押圧装置２９が前方回動していき、図５の様に販売商品７が残り３個となると、最上位の販売商品７の上方に位置する事となる。
【００３４】
更に販売商品７を１個販売すると、図６に示す如く、最上位の販売商品７のほぼ中央部を押さえる事となる。即ち、前記載置台２６と押圧装置２９とで販売商品７を上下から挟む形となる。
【００３５】
この様に、販売商品７の残りが２個となっても、商品収納コラム２の背面下部に設けられた押圧装置２９にて上方から押さえると共に、商品収納コラム２の背面側に引きつけるため、図７に示す如く、残り２個の内の１個を販売し、最後の販売商品７がプッシャー２７の上に載り、そのままプッシャー２７を後方に移動させても、図８に示す如く、最後の販売商品７の姿勢が崩れることは無い。
【００３６】
従って、図９及び図１０に示す如く、商品収納コラム２に収納した販売商品７を最後まで確実に販売する事ができる。
【００３７】
そして、販売商品７が全て売り切られ、次に販売商品７を補充する場合、所定のスイッチ、または内扉４、商品押さえ２２などの開動作と連動して下方を向いている押圧装置２９が上方回動して待機位置に戻る。尚、これは手動で行っても良いし、販売商品７補充の際に稼働させる他の装置などと連動させても良い。
【００３８】
尚、本実施形態において、押圧装置２９は回動して販売商品７を押圧するものであるが、上下方向に移動可能な押圧装置２９を商品収納コラム２の上部に設けても良い。
【００３９】
更に、押圧装置２９は回動する事により販売商品７を押圧するだけの簡単な構造であるため、故障などが少ないと共に、ユニット化する事で、既存の製品にも取り付ける事ができる。
【００４０】
【発明の効果】
以上詳述した如く、請求項１の発明によると、収納コラム内の商品の残数が所定数以下となった場合、商品の上方から押圧装置によって押圧する事で、商品の姿勢が崩れてしまう事を極力防止できる。
【００４１】
従って、収納コラムに収納した商品を最後まで確実に販売する事ができると共に、商品補充の回数も減らす事ができる。
【００４２】
また、請求項２の発明によると、押圧装置は回動して商品を押圧する簡単な構造であるため、故障などの発生を極力防止できる。
【図面の簡単な説明】
【図１】本発明を具備する自動販売機の正面図である。
【図２】本発明を具備する自動販売機の側面図である。
【図３】本発明を具備する自動販売機の縦側断面図である。
【図４】販売待機状態における収納コラムの要部拡大図である。
【図５】残り商品が３個の状態における収納コラムの要部拡大図である。
【図６】残り商品が２個の状態における収納コラムの要部拡大図である。
【図７】２個の残り商品の内の１個を販売する状態を示す収納コラムの要部拡大図である。
【図８】残り商品が１個の状態を示す収納コラムの要部拡大図である。
【図９】最後の商品を販売する状態を示す収納コラムの要部拡大図である。
【図１０】完全に売り切れた状態を示す収納コラムの要部拡大図である。
【図１１】従来の自動販売機の側面図である。
【図１２】従来の収納コラム下部の拡大図である。
【図１３】２個の商品の内、１個を販売する状態を示す従来の収納コラム下部の拡大図である。
【図１４】最後の販売商品の姿勢が崩れた状態を示す従来の収納コラム下部の拡大図である。
【符号の説明】
１  自動販売機
２  収納コラム
７  商品
２５  商品搬出装置
２９  押圧装置
【図１】
0003985380.tif 000002
【図２】
0003985380.tif 000003
【図３】
0003985380.tif 000004
【図４】
0003985380.tif 000005
【図５】
0003985380.tif 000006
【図６】
0003985380.tif 000007
【図７】
0003985380.tif 000008
【図８】
0003985380.tif 000009
【図９】
0003985380.tif 000010
【図１０】
0003985380.tif 000011
【図１１】
0003985380.tif 000012
【図１２】
0003985380.tif 000013
【図１３】
0003985380.tif 000014
【図１４】
0003985380.tif 000015